(57)【要約】【課題】断熱扉間のシール性を担保した上で、リップ部材の着脱を容易に行えるようにする。【解決手段】断熱箱体からなる貯蔵庫本体１０に設けられた前面開口部１３には、左右一対の断熱扉１５が観音開き式の揺動開閉可能に設けられ、各断熱扉１５の裏面における揺動支点側の側縁から上下両側縁に亘ってパッキン３０が装着される一方、各断熱扉１５の揺動端側の側縁には、相手側に向けて張り出し閉扉時において互いに重ね合わせ可能なリップ部材４０が設けられている。各断熱扉１５の揺動端側の側縁における互いに対向する面には縦方向の取付溝９０が形成され、リップ部材４０は、その基端側が取付溝９０に対し同取付溝９０の正面側から挿入されることで着脱可能に装着されるようになっている。【選択図】図５
2014085072.tif 000002
【特許請求の範囲】
【請求項１】
断熱箱体からなる貯蔵庫本体に設けられた前面開口部には、左右一対の断熱扉が観音開き式の揺動開閉可能に設けられ、
前記各断熱扉の裏面における揺動支点側の側縁から上下両側縁に亘ってパッキンが装着される一方、同各断熱扉の揺動端側の側縁には、相手側に向けて張り出し閉扉時において互いに重ね合わせ可能なリップ部材が設けられており、
かつ、前記各断熱扉の揺動端側の側縁における互いに対向する面には縦方向の取付溝が形成され、前記リップ部材は、その基端側が前記取付溝に対し同取付溝の正面側から挿入されることで着脱可能に装着されるようになっていることを特徴とする冷却貯蔵庫の扉装置。
【請求項２】
前記リップ部材は、前記取付溝に挿入される挿入部の先端側に弾性変形可能なリップが設けられた形状であり、前記リップの根元位置が前記取付溝における両方の開口側縁よりも奥に引っ込んだ形態で装着されていることを特徴とする請求項１記載の冷却貯蔵庫の扉装置。
【請求項３】
前記取付溝の前記両開口側縁に丸みを付したＲ部が形成されていることを特徴とする請求項２記載の冷却貯蔵庫の扉装置。
【請求項４】
前記取付溝における各開口側縁に形成された前記Ｒ部について、各Ｒ部の奥側の起点位置が前記取付溝の深さ方向にずれて設けられていることを特徴とする請求項３記載の冷却貯蔵庫の扉構造。
【請求項５】
前記各断熱扉の揺動端側の側縁における互いに対向する面には、同対向面を覆いかつ庫内側に向けて突出した部分を有する縦向きの保持部材が装着され、この保持部材の突出部における互いに対向する面には幅広の装着溝が縦方向に形成され、前記装着溝における庫内側の領域には溝構成体が着脱可能に装着され、この溝構成体と前記装着溝における庫外側の溝面との間に前記取付溝が形成され、前記溝構成体と前記装着溝の対向した前記溝面とで基端側が挟まれることにより前記リップ部材が装着されていることを特徴とする請求項１ないし請求項４のいずれか一項に記載の冷却貯蔵庫の扉構造。
【請求項６】
前記各断熱扉の裏面における揺動端側の側縁にはマグネットが埋設されたマグネットパッキンが装着されているとともに、
前記保持部材における前記突出部の内面側には前記マグネットパッキンを覆うようにして張出部が張り出し形成され、この張出部内に、マグネットの収容空間が形成されていることを特徴とする請求項５記載の冷却貯蔵庫の扉構造。
【請求項７】
前記保持部材の前記突出部と前記溝構成体とに亘る長さ方向の端面を覆って装着される蓋板が備えられ、この蓋板の裏面には、前記保持部材の前記突出部と前記溝構成体との重なり合った部分を挟んで結合する挟持部が突出形成されていることを特徴とする請求項５または請求項６記載の冷却貯蔵庫の扉構造。
【請求項８】
前記溝構成体における相手側との対向面の庫内側の角部からは、相手側に向けて張り出し閉扉時において互いに重ね合わせ可能な補助リップが一体形成されており、
この補助リップは先端が庫内側に傾斜した斜め姿勢で予め形成され、前記溝構成体が前記装着溝に装着されることに伴い前記補助リップの根元側が前記装着溝における庫内側の溝面に沿って配されることにより、前記補助リップが前記断熱扉と平行姿勢をなして相手側に向けて張り出す形態を採ることを特徴とする請求項５ないし請求項７のいずれか一項に記載の冷却貯蔵庫の扉構造。
【請求項９】
前記各断熱扉の裏面における揺動端側の側縁にはマグネットが埋設されたマグネットパッキンが装着され、
前記保持部材の上下両端部では、前記装着溝における庫外側の溝壁から前記対向面の覆い部が延出形成されるとともに、前記リップ部材の上下両端部も延出されて、このリップ部材の上下の延出部が前記溝壁における上下の延出壁に当てられつつ、前記マグネットパッキンの上下両端部の横方向に密着して配されており、
かつ、前記リップ部材の上下の延出部の裏面には、弾性部材からなるクッションが介装されていることを特徴とする請求項５記載の冷却貯蔵庫の扉構造。
【請求項１０】
前記保持部材における前記覆い部は、内部に配線空間等を構成するべく中空状に形成され、この覆い部の上下の両端面を塞ぐキャップが設けられているとともに、前記リップ部材の上下の延出部からはさらに被固定部が延出形成されており、これらの被固定部が、被着された前記キャップで押さえられて固定されるようになっていることを特徴とする請求項９記載の冷却貯蔵庫の扉構造。
【発明の詳細な説明】
【技術分野】
【０００１】
本発明は、ワイドスルー形式の冷却貯蔵庫の扉装置に関する。
【背景技術】
【０００２】
この種の冷却貯蔵庫の扉装置の一例として下記特許文献１に記載のものが知られており、具体的には、貯蔵庫本体の前面開口部に左右一対の断熱扉が観音開き式の開閉可能に設けられ、各断熱扉の裏面における揺動支点側の側縁並びに上下両側縁に亘ってパッキンがコ字形の配置で装着される一方、各断熱扉の揺動端側の側縁には、相手側に向けて張り出すようにしてリップ部材が縦方向に設けられた構造である。そして、両断熱扉の閉鎖時には、両パッキンが貯蔵庫本体の前面開口部の口縁の全周に亘って密着して同前面開口部をシールするとともに、両リップ部材の先端部同士が重なり合って密着することにより両断熱扉間がシールされるようになっている。
【先行技術文献】
【特許文献】
【０００３】
【特許文献１】特開２００２−１３０９２６号公報
【発明の概要】
【発明が解決しようとする課題】
【０００４】
上記従来のものでは、リップ部材の配設構造が、断熱扉の揺動端の庫内側角部に、硬質樹脂製の縦枠が取り付けられて同縦枠に軟質樹脂製のリップ部材が二色成形によって一体的に設けられた構造であるため、仮に破損したり摩耗が激しくなった場合にも、リップ部材を単独では交換することができない。  
また特許文献１では、上記のリップ部材よりも庫内側の位置において別のシール部材が配されていて、このシール部材の配設構造を参考にし、リップ部材を別途成形して、同リップ部材の基端部に硬質樹脂製の溝部を形成する一方、縦枠に対して縦方向に沿ったレールを形成し、溝部をレールに嵌めつつリップ部材を上方または下方から差し込むことで装着する構造とすることも考えられる。
【０００５】
しかるにこの方法では、相応に長いリップ部材を差し込むのであるから、差し込みの終盤で抵抗を受けて作業に手間取るおそれがあり、そうかといって、溝部とレールとの嵌合具合を緩くすると、装着後にリップ部材ががたついて、相手のリップ部材と正規に密着できない等で、シール性が損なわれることが懸念され、さらなる改良が切望されていた。  
本発明は上記のような事情に基づいて完成されたものであって、その目的は、ワイドスルー形式の扉装置において、断熱扉間のシール性を担保した上で、リップ部材の着脱を容易に行えるようにするところにある。
【課題を解決するための手段】
【０００６】
本発明の冷却貯蔵庫の扉装置は、断熱箱体からなる貯蔵庫本体に設けられた前面開口部には、左右一対の断熱扉が観音開き式の揺動開閉可能に設けられ、前記各断熱扉の裏面における揺動支点側の側縁から上下両側縁に亘ってパッキンが装着される一方、同各断熱扉の揺動端側の側縁には、相手側に向けて張り出し閉扉時において互いに重ね合わせ可能なリップ部材が設けられており、かつ、前記各断熱扉の揺動端側の側縁における互いに対向する面には縦方向の取付溝が形成され、前記リップ部材は、その基端側が前記取付溝に対し同取付溝の正面側から挿入されることで着脱可能に装着されるようになっているところに特徴を有する。
【０００７】
両断熱扉の閉鎖時には、両パッキンが貯蔵庫本体の前面開口部の口縁の全周に亘って密着して同前面開口部をシールするとともに、両リップ部材が重なり合って密着することにより両断熱扉間がシールされる。  
リップ部材の装着構造は、同リップ部材の基端側を、断熱扉の揺動端側の対向面に形成された縦方向の取付溝に対して正面側から挿入する構造であるから、着脱作業を容易に行うことができ、かつ作業スペースも少なくて済む。また、リップ部材の単独交換にも対応できる。
【０００８】
また、以下のような構成としてもよい。  
（１）前記リップ部材は、前記取付溝に挿入される挿入部の先端側に弾性変形可能なリップが設けられた形状であり、前記リップの根元位置が前記取付溝における両方の開口側縁よりも奥に引っ込んだ形態で装着されている。  
開扉時において、リップ部材に正面側から異物が当たる等によって、リップ部材が断熱扉の対向面に押し付けられるように曲げられた場合、取付溝の開口側縁には弾性変形可能なリップの根元側が押し付けられることから、剛性が高い部分が押し付けられる場合と違って、千切れるような損傷を受けることが避けられる。  
（２）前記取付溝の前記両開口側縁に丸みを付したＲ部が形成されている。リップ部の根元側は、取付溝の開口側縁のＲ部に倣って湾曲して押し付けられるから、応力集中が回避されてさらに損傷を受け難くなる。
【０００９】
（３）前記取付溝における各開口側縁に形成された前記Ｒ部について、各Ｒ部の奥側の起点位置が前記取付溝の深さ方向にずれて設けられている。  
片方の断熱扉のみを開閉する場合、同断熱扉に装着されたリップ部材のリップは、相手のリップとの重なり合いの向きにより、庫内側または庫外側に屈曲される。その際リップの根元部は取付溝の開口側縁のＲ部に倣って湾曲し、同Ｒ部の奥側の起点位置と対応する位置に最大応力が作用する。ここで、両側の各Ｒ部の奥側の起点位置が取付溝の深さ方向にずれて設けられているから、リップが庫内側と庫外側に屈曲されたときとで、リップの根元部における最大応力が作用する位置が異なる。そのため、屈曲方向によらず同じ位置に最大応力が作用する場合と比べると、リップすなわちリップ部材の耐久性を向上させることができる。
【００１０】
（４）前記各断熱扉の揺動端側の側縁における互いに対向する面には、同対向面を覆いかつ庫内側に向けて突出した部分を有する縦向きの保持部材が装着され、この保持部材の突出部における互いに対向する面には幅広の装着溝が縦方向に形成され、前記装着溝における庫内側の領域には溝構成体が着脱可能に装着され、この溝構成体と前記装着溝における庫外側の溝面との間に前記取付溝が形成され、前記溝構成体と前記装着溝の対向した前記溝面とで基端側が挟まれることにより前記リップ部材が装着されている。
【００１１】
リップ部材を装着する場合は、リップ部材の基端側を装着溝内に正面から入れて庫外側の溝面に当て、続いて溝構成体を装着溝の庫内側領域に正面から入れて同溝構成体と庫外側の溝面との間でリップ部材の基端側を挟み付けることで、リップ部材が装着される。リップ部材を外す場合は、まず溝構成体を正面から引き抜いてリップ部材をフリーとして、続いてリップ部材を同様に正面から引いて外せばよい。  
溝構成体を正面から挿抜することにより、リップ部材の着脱を容易に行うことができる。
【００１２】
（５）前記各断熱扉の裏面における揺動端側の側縁にはマグネットが埋設されたマグネットパッキンが装着されているとともに、前記保持部材における前記突出部の内面側には前記マグネットパッキンを覆うようにして張出部が張り出し形成され、この張出部内に、マグネットの収容空間が形成されている。  
保持部材の張出部の収容空間に収容されたマグネットが、断熱扉の裏面の揺動端側の側縁に装着されたマグネットパッキンに吸着されることで、保持部材の張出部が全高に亘ってマグネットパッキンに密着され、保持部材と断熱扉の間のシールをより確実に採ることができる。
【００１３】
（６）前記保持部材の前記突出部と前記溝構成体とに亘る長さ方向の端面を覆って装着される蓋板が備えられ、この蓋板の裏面には、前記保持部材の前記突出部と前記溝構成体との重なり合った部分を挟んで結合する挟持部が突出形成されている。  
溝構成体が装着溝内の定位置に確実に取り付けられ、ひいてはリップ部材の基端側を確実に挟んで同リップ部材を強固に抜け止めすることができる。
【００１４】
（７）前記溝構成体における相手側との対向面の庫内側の角部からは、相手側に向けて張り出し閉扉時において互いに重ね合わせ可能な補助リップが一体形成されており、この補助リップは先端が庫内側に傾斜した斜め姿勢で予め形成され、前記溝構成体が前記装着溝に装着されることに伴い前記補助リップの根元側が前記装着溝における庫内側の溝面に沿って配されることにより、前記補助リップが前記断熱扉と平行姿勢をなして相手側に向けて張り出す形態を採る。
【００１５】
硬質樹脂からなる溝構成体に対して軟質樹脂からなる補助リップを二色成形により一体形成する場合に、補助リップを高精度を以て一定姿勢に形成することは難しい。補助リップの姿勢にばらつきができると、相手の補助リップと正規に密着できない事態も生じ得る。  
そこでこの発明では、補助リップを予め庫内側に傾斜した斜め姿勢に形成しておき、溝構成体を装着溝に装着することに伴い、補助リップの根元部を溝面に沿わせることによって、補助リップを所定の姿勢に維持できるようにしている。これにより、相手の補助リップと正規に密着できる。  
すなわち、製造時においては補助リップの姿勢はラフに設定でき、製造コストの低減に寄与できる。
【００１６】
（８）前記各断熱扉の裏面における揺動端側の側縁にはマグネットが埋設されたマグネットパッキンが装着され、前記保持部材の上下両端部では、前記装着溝における庫外側の溝壁から前記対向面の覆い部が延出形成されるとともに、前記リップ部材の上下両端部も延出されて、このリップ部材の上下の延出部が前記溝壁における上下の延出壁に当てられつつ、前記マグネットパッキンの上下両端部の横方向に密着して配されており、かつ、前記リップ部材の上下の延出部の裏面には、弾性部材からなるクッションが介装されている。  
断熱扉の閉鎖時において、前面開口部の口縁のうち上下の横縁の中央部では、両マグネットパッキンの上下の端部と両リップ部材の上下の端部とが連続して密着して、隙間無くシールされる。この閉扉時、リップ部材の上下両端部は、前面開口部の横縁と、保持部材の延出壁との間で挟圧されることになるが、挟圧力がクッションで吸収されることにより、リップ部材の上下両端部が圧潰されることから防止される。
【００１７】
（９）前記保持部材における前記覆い部は、内部に配線空間等を構成するべく中空状に形成され、この覆い部の上下の両端面を塞ぐキャップが設けられているとともに、前記リップ部材の上下の延出部からはさらに被固定部が延出形成されており、これらの被固定部が、被着された前記キャップで押さえられて固定されるようになっている。  
覆い部の上下両端面に被着されるキャップを利用することにより、リップ部材の上下の延出部が、これを受けた溝壁の上下の延出壁から剥がれることを防止できる。接着剤が不要となり、それに伴いリップ部材の交換が容易となる。
【発明の効果】
【００１８】
本発明によれば、ワイドスルー形式の扉装置において、断熱扉間のシール性を担保した上で、リップ部材の着脱を容易に行うことができる。
【図面の簡単な説明】
【００１９】
【図１】本発明の一実施形態に係る冷蔵庫の正面図
【図２】断熱扉の裏面側から視た一部切欠斜視図
【図３】閉扉状態の部分断面図
【図４】保持部材の端部構造を示す斜視図
【図５】リップ部材の装着動作を示す断面図
【図６】蓋板の裏面側から視た斜視図
【図７】図３のVII−VII線拡大端面図
【図８】コーナキャップの裏面側から視た斜視図
【図９】リップ部材の組付動作を示す分解斜視図
【図１０】リップ部材の端部の押さえ動作を示す分解斜視図
【図１１】クッションの配設構造を示すコーナキャップを外した状態の部分平面図
【図１２】断熱扉の揺動端側の上端部の構造を示す斜視図
【図１３】その一部切欠側面図
【図１４】開扉状態におけるリップ部材の配設構造を示す部分断面図
【図１５】断熱扉の揺動端側の側面に容器が当たった状態を示す断面図
【発明を実施するための形態】
【００２０】
＜実施形態＞
本発明の一実施形態を図１ないし図１５に基づいて説明する。この実施形態では、ワイドスルー形式の横型冷蔵庫を例示している。  
横型冷蔵庫の全体構造を図１によって説明する。冷蔵庫本体１０は、前面が開口された横長の断熱箱体によって形成され、底面に配された脚１１で支持されている。冷蔵庫本体１０の内部は貯蔵室１２とされ、出入口となる前面開口部１３には、左右一対の断熱扉１５が観音開き式の開閉可能に装着されている。一対の断熱扉１５は、それぞれ外側の縦縁の上下両端が、ヒンジ１６を介して縦軸回りの回動可能に支持されており、正面の上縁部における互いに隣接した端部に寄った位置に、開閉操作用の把手１７が設けられている。前面開口部１３には、左右に仕切る縦向きの仕切枠が設けられておらず、センタピラーレスすなわちワイドスルー形式の扉装置が構成されている。
【００２１】
冷蔵庫本体１０の正面視左側面には機械室１８が設けられ、同機械室１８内には、貯蔵室１２から張り出し形成された形態の蒸発器室が収容されて同蒸発器室に蒸発器と庫内ファンとが装備されているとともに、蒸発器と接続されて冷凍サイクルを構成する冷凍装置が収容されている。  
冷凍サイクルが駆動されることで蒸発器付近で冷気が生成され、同冷気が庫内ファンにより貯蔵室１２内に循環供給されることで、貯蔵室１２内が冷却されるようになっている。
【００２２】
扉装置は上記のようにワイドスルー形式であることから、閉扉時のシール構造は基本的には、前面開口部１３の口縁については、各断熱扉１５の裏面における揺動端側の縦縁を除いた他の３縁辺に装着されたパッキン３０が密着されることでシールされ、両断熱扉１５の揺動端側の縦縁の間については、同縦縁に沿って装着されたリップ部材４０同士が密着することでシールされるようになっている。両断熱扉１５が揃って開けられると、前面開口部１３が仕切りが無い状態で全開可能となる。
【００２３】
さらに断熱扉１５の構造、特にリップ部材４０の配設部分の構造について詳細に説明する。  
断熱扉１５は左右対称形状に形成されており、図２及び図３等に示すように、ステンレス鋼板等の金属製の外装板２１と、中央に膨出部２２Ａを設けた合成樹脂製の内装板２２とを組み付けることで外殻体２０が形成され、この外殻体２０内に、発泡樹脂等の断熱材（図示せず）が充填された構造となっている。断熱扉１５の裏面における薄肉となった周縁部には、方形状をなすパッキン装着溝２５が形成されている。
【００２４】
パッキン３０はマグネットパッキンであって、合成樹脂材の押出成形によって形成され、所定長さに切断されて使用される。パッキン３０は、図３に示すように、内部が複数の部屋３２に仕切られた筒状のパッキン本体３１の背面側に取付脚３３が突設されるとともに、表面側（同図の上側）における幅方向の略中央部に位置する部屋３２Ａに、扁平な角柱状のマグネット３５が挿入されて形成されている。なお、パッキン本体３１の表面における幅方向の外側の角部は、所定量裏側に後退している（外側部３１Ａ）。  
パッキン３０は、上記した装着溝２５の４縁辺に対応して４本が準備され、各パッキン３０の両端は４５度に切断されている。４本のパッキン３０は、それぞれの取付脚３３を装着溝２５に嵌着しつつ、４縁辺の全周に亘って方形枠状の形態をなして装着されている。各パッキン本体３１における内側の面には複数枚のひれ部３６が張り出し形成され、内装板２２の膨出部２２Ａの側面に弾性的に密着されている。なお、揺動端側の縦向きのパッキンは、パッキン３０Ａとして区別する。
【００２５】
リップ部材４０は、図２に示すように、各断熱扉１５の揺動端側で相手と対向した側面（以後、対向側面１５Ａ）における庫内側の角部付近において、後記する保持部材５０を介して上下方向に延びた形態で装着されている。リップ部材４０は、軟質樹脂材により、断熱扉１５のほぼ全高に匹敵する長さを有する帯状に形成されている。リップ部材４０は、図３及び図９に示すように、幅方向の基端側が挿入部４１として、また先端側が弾性変形可能なリップ４２として機能するようになっている。リップ部材４０の上下両端部では挿入部４１が拡幅され、かつその拡幅部４１Ａの上下両端から、被固定片４３が突出形成されている。
【００２６】
リップ部材４０が装着される保持部材５０は合成樹脂製であって、断熱扉１５の対向側面１５Ａのほぼ全高に相当する長さ寸法を有しており、図３に示すように、対向側面１５Ａの庫内側の領域を覆ったのちさらに庫内側に突出された基部５２、その突出端から断熱扉１５の中央側に向けて直角曲げされた屈曲部５３とからなるＬ字形の取付板５１と、同取付板５１の屈曲部５３の先端側の領域において、庫内側に突出したのち相手の断熱扉１５側に向けて直角曲げされた中空のＬ字形をなすガード壁５５が連設された形状となっている。  
ただし、図４に示すように、ガード壁５５の上下両端部は、閉扉時において貯蔵室１２の前面開口部１３の上下の横縁と干渉しないように、所定長さが切除されている。逆に言うと、取付板５１の上下両端部が、ガード壁５５の上下両端面から上方または下方に延出して形成されている。
【００２７】
保持部材５０は、取付板５１の基部５２が対向側面１５Ａの所定位置に当てられて、ねじ止めによって固定され、このとき、取付板５１の屈曲部５３の先端が縦向きのパッキン３０Ａにおける外側部３１Ａに入り込むとともに、ガード壁５５の基壁５６が、同パッキン３０Ａにおけるマグネット３５が装着された部屋３２Ａの庫内側の面と対向するようになっている。ガード壁５５の基壁５６の裏側には、ゴム磁石５８の収容空間５７が形成されている。同収容空間５７には、図９に示すように、ゴム磁石５８が上端開口または下端開口から長さ方向に沿って挿入されることで収容されるようになっている。ゴム磁石５８の全長は、収容空間５７の全長よりも所定寸法短く採られている。
【００２８】
取付板５１における基部５２の表面側には、合成樹脂製のスライド蓋５９が長さ方向に沿って挿入されつつ着脱可能に装着され、全体として扁平な筒状体６０が形成されるようになっている。この筒状体６０の内部には、ヒータのリード線等を収容し得る配線空間が形成されるようになっている。  
ガード壁５５における相手の断熱扉１５側に向けて曲げられた屈曲部６１は、その互いに突き合う先端面が、庫外側の端縁から庫内側の端縁に向けて次第に対応間隔が狭くなる傾斜面となっている。屈曲部６１の先端の傾斜面の庫内側の端縁は、上記した筒状体６０の表面と比べて、相手側に向けてより突出した位置関係にある。
【００２９】
保持部材５０における相手の保持部材５０と対向する面には、上記したリップ部材４０を装着するべく装着溝７０が形成されている。装着溝７０は、ガード壁５５における相手の断熱扉１５側に向けて曲げられた屈曲部６１の庫内側の面と、取付板５１の屈曲部５３の庫外側の面との間において、方形断面をなして全高に亘って形成されており、同装着溝７０の庫外側の溝面７０Ａは、自然状態におけるパッキン３０の庫内側の最大突出面３０Ｙ（マグネット３５が装着された部屋３２Ａの内面：図３参照）と一致した位置にある。
【００３０】
保持部材５０の装着溝７０内には、図５に示すように、リップ部材４０を装着溝７０に保持するためのリテーナ８０が嵌着可能とされている。このリテーナ８０は合成樹脂材の押出成形によって形成され、装着溝７０の上下方向の長さと同じ長さを持ったチャンネル形に形成されている。リテーナ８０の幅寸法は、装着溝７０の溝幅よりも所定寸法（リップ部材４０の厚さよりも少し小さい寸法）小さく設定されている。また、同リテーナ８０の深さ寸法（基壁８１から開口縁までの寸法）は、装着溝７０の深さよりも所定寸法小さく設定されている。  
リテーナ８０は、開口面を装着溝７０の溝底側に向けて正面から嵌合可能となっており、リテーナ８０の両側板８２の先端縁の対向面には、短寸の被挟持部８３が突出形成されている。また、庫内側の側板８２の先端縁には、庫内側に向けて突出した係止突条８４が形成されているとともに、装着溝７０の庫内側の溝面７０Ｂの溝底には、上記の係止突条８４が嵌る係止溝７２が形成されている。
【００３１】
リテーナ８０の基壁８１における庫内側の角部には、弾性変形可能な薄板状の補助リップ８５が、相手側に向けて互いに重ね合わせ可能に全高に亘って張り出し形成されている。この補助リップ８５は、軟質樹脂を素材として二色成形により形成されている。補助リップ８５は、先端が庫内側に傾斜した斜め姿勢で予め形成されている。
【００３２】
リップ部材４０を装着するに当たっては、同リップ部材４０を基端側から装着溝７０に挿入して庫外側の溝面７０Ａに当てたのち、リップ部材４０と庫内側の溝面７０Ｂとの間にリテーナ８０を弾性変位させつつ押し込み、溝底まで押し込まれると、図１４に示すように、係止突条８４が係止溝７２に弾性的に嵌ることで、リテーナ８０が抜け止めされて嵌着される。このとき、リップ部材４０の挿入部４１が、リテーナ８０の庫外側の側板８２と装着溝７０の庫外側の溝面７０Ａとの間で挟持されることによって、リップ部材４０が、リップ４２を相手側に向けて互いに重ね合わせ可能に張り出した形態で固定される。このリップ部材４０の挿入部４１を挟持した溝の部分が、本発明の取付溝９０に相当する。
【００３３】
詳細には、同図に示すように、取付溝９０の庫外側の溝面９１Ａは、装着溝７０の庫外側の溝面７０Ａと一致しており、一方、取付溝９０の庫内側の溝面９１Ｂは、リテーナ８０の庫外側の側板８２における外側面によって形成されている。  
取付溝９０における庫外側の溝面９１Ａの開口縁の方が、庫内側の溝面９１Ｂの開口縁よりも相手側に向けて所定寸法突出している。ここで、リップ部材４０におけるリップ４２の根元位置は、庫内側の溝面９１Ｂの開口縁よりもさらに奥に引っ込んだ形態で装着されている。
【００３４】
取付溝９０における庫外側の溝面９１Ａの開口側縁には、曲率半径の大きい第１Ｒ部９３が形成されている。一方、庫内側の溝面９１Ｂの開口側縁には、曲率半径の小さい第２Ｒ部９４が形成されている。それとともに、庫外側の第１Ｒ部９３の奥側の起点位置９３Ｋよりも、庫内側の第２Ｒ部９４の奥側の起点位置９４Ｋの方が、取付溝９０における深さ方向の奥側に位置するようにずれて設定されている。
【００３５】
リテーナ８０に設けられた補助リップ８５は、リテーナ８０が装着溝７０に装着されることに伴い、その根元部が庫内側の溝面７０Ｂに沿いつつ、リップ部材４０のリップ４２と平行姿勢で相手側に向けて張り出す形態となる。  
また、上記したガード壁５５の屈曲部６１の先端の傾斜面における庫外側の端縁、すなわち装着溝７０における庫内側の溝面７０Ｂの開口側縁には、曲率半径の小さい補助Ｒ部９６が形成されている。
【００３６】
保持部材５０におけるガード壁５５の切除された上下の端面には、図９に示すように、装着溝７０の形成領域も含めて蓋板１００が被着されるようになっている。この蓋板１００の裏面には、図３及び図６に示すように、装着されたリテーナ８０の基壁８１の内側に挿入される長寸のロック片１０１と、同リテーナ８０の被挟持部８３の内側と、ガード壁５５の屈曲部６１側に挿入される短寸の挟持片１０３と、ガード壁５５の収容空間５７に挿入される短寸の押さえ片１０４とが、垂下して形成されている。  
ロック片１０１の先端部にはロック突部１０２が形成される一方、リテーナ８０の基壁８１には、ロック突部１０２が嵌るロック孔８７が開口されている。
【００３７】
上記のようにリテーナ８０を押し込んでリップ部材４０を固定するとともに、図９に示すように、ガード壁５５の収容空間５７内にゴム磁石５８が収容されたのち、蓋板１００がガード壁５５の切除された上下の端面に被せられ、ロック片１０１が弾性撓みしつつ押し込まれてガード壁５５の上下の端面に当たるまで押し込まれると、図７に示すように、復元弾力によりロック突部１０２がロック孔８７に嵌ることで蓋板１００が外れ止めされる。そのとき図３及び図７に示すように、リテーナ８０の開口縁側の被挟持部８３と装着溝７０の底壁７４とが重なった形態で挟持片１０３と一部の押さえ片１０４によって挟み付けられ、リテーナ８０が強固に抜け止めされ、ひいてはリップ部材４０が強固に抜け止めされて装着される。  
また、上下の押さえ片１０４が、ゴム磁石５８の上下の端面を押さえて挟み、ゴム磁石５８が抜け止めされて収容空間５７内の所定位置に収容されるようになっている。
【００３８】
一方、保持部材５０におけるガード壁５５の上下両端部が切除されているために、リップ部材４０が保持部材５０に装着された場合には、図２に示すように、リップ部材４０の上下の端部が、庫内側に露出した状態となる。詳細には、図１１にも示すように、リップ部材４０の露出した上下両端部のうち、元々の基端側の挿入部４１は、保持部材５０の残った取付板５１における屈曲部５３に当てられ、また挿入部４１の拡幅部４１Ａが、縦向きのパッキン３０Ａの上下の端部におけるマグネット３５が装着された部屋３２Ａの内面に面一となって当てられた状態となる。  
ただし、図４に示すように、上記の残った取付板５１の屈曲部５３の表面は所定厚さ削除され、その被削除面５３Ａに、同図の鎖線に示すように、弾性部材からなるクッション１０５が貼着されている。したがって、リップ部材４０の露出した上端部のうちの元々の挿入部４１に相当する領域は、クッション１０５を介して取付板５１の屈曲部５３（被削除面５３Ａ）で受けられることになる。  
上記の構造によれば、断熱扉１５の閉鎖時には、貯蔵室１２の前面開口部１３の上下の横縁の中央部では、縦向きの両パッキン３０Ａの上下の端部と、両リップ部材４０の上下の端部とが連続して密着して、隙間無くシールされることになる。
【００３９】
また、図９に示すように、断熱扉１５における揺動端側の裏面の上下の角部には、コーナキャップ１１０（図８参照）が被着されるようになっている。このコーナキャップ１１０は、保持部材５０の取付板５１とスライド蓋５９とからなる筒状体６０の上下の開口を塞ぎつつ、上記の角部を覆って装着され、ねじ挿通孔１１２に通したねじ１１１を、断熱扉１５の揺動端の上下の面に形成されたねじ孔１１４にねじ込むことで固定されるようになっている。  
一方、リップ部材４０の上下両端部において、挿入部４１の拡幅部４１Ａの上下両端から被固定片４３が突出形成されているから、図１２及び図１３に示すように、被固定片４３を倒して縦向きのパッキン３０Ａの上下の端部の表面に預けた状態において、上記のようにコーナキャップ１１０を被着すると、被固定片４３がパッキン３０Ａの上下の端部の表面に押さえられて抜け止めされ、結果、リップ部材４０の露出した上端部が捲れることが阻止されるようになっている。
【００４０】
本実施形態の扉装置は以上のような構造であって、左右の断熱扉１５が閉じられると、断熱扉１５の庫内側の面における３縁辺に装着されたパッキン３０が貯蔵室１２の前面開口部１３の口縁に密着し、また、前面開口部１３の上下の横縁の中央部では、縦向きの両パッキン３０Ａの上下の端部と、保持部材５０の取付溝９０に装着された両リップ部材４０の上下の露出した端部とが連続して密着することによって、前面開口部１３の口縁が四辺全周に亘ってシールされる。それとともに、両断熱扉１５の間では、図３に示すように、両リップ部材４０のリップ４２の先端同士が重なってシールが取られる。さらに、保持部材５０に形成されたガード壁５５が狭い間隔で対応することで冷気の流出が抑制され、また、リテーナ８０に突設された補助リップ８５の先端同士が重なることでシール機能がさらに高められる。
【００４１】
この実施形態において、リップ部材４０を保持部材５０に装着する場合は、リップ部材４０の基端側の挿入部４１を装着溝７０内に同装着溝７０の正面から入れて庫外側の溝面７０Ａに当て、続いてリテーナ８０を装着溝７０の庫内側領域に正面から入れて同リテーナ８０と庫外側の溝面７０Ａとの間でリップ部材４０の挿入部４１を挟み付けることにより、リップ部材４０が装着される。リップ部材４０を外す場合は、上記とは逆にリテーナ８０を正面から引き抜いてリップ部材４０をフリーとし、続いてリップ部材４０を同様に正面から引いて外せばよい。  
端的には、リップ部材４０の装着構造は、リップ部材４０の挿入部４１を、リテーナ８０ともども、保持部材５０の対向面に形成された縦方向の装着溝７０に対して正面側から挿入する構造であるから、着脱作業を容易に行うことができ、かつ作業スペースも少なくて済む。また、リップ部材４０の単独交換にも対応できる。
【００４２】
さらに、以下のような数々の作用効果を得ることができる。  
上記したリップ部材４０を保持部材５０の装着溝７０内に固定することに用いるリテーナ８０には、その庫内側の角部から、相手側に向けて張り出し閉扉時において互いに重ね合わせ可能な補助リップ８５が一体形成されている。ここで、硬質樹脂からなるリテーナ８０に対して軟質樹脂からなる補助リップ８５を二色成形により一体形成する場合には、補助リップ８５を高精度で一定姿勢に形成することは難しい。補助リップ８５の姿勢にばらつきができると、相手の補助リップ８５と正規に密着できない事態も生じ得る。  
そこでこの実施形態では、図５に示すように、補助リップ８５を予め庫内側に傾斜した斜め姿勢に形成しておき、リテーナ８０を装着溝７０に装着することに伴い、補助リップ８５の根元部を溝面７０Ｂに沿わせることによって、補助リップ８５を所定の姿勢に持ち来すようにしている。これにより相手の補助リップ８５と正規に密着させることができる。すなわち、製造時においては、補助リップ８５の姿勢はラフに設定でき、製造コストの低減に寄与できる。
【００４３】
保持部材５０のガード壁５５における縦向きのパッキン３０Ａを覆う基端側の位置には収容空間５７が設けられ、同収容空間５７内にゴム磁石５８が収容されている。そのため、保持部材５０を装着した際に、保持部材５０の収容空間５７に収容されたゴム磁石５８が、縦向きのパッキン３０Ａに装着されたマグネット３５に吸着されることで、保持部材５０のガード壁５５の基壁５６が、全高に亘って縦向きのパッキン３０Ａに密着され、保持部材５０と断熱扉１５の裏面との間のシールが確実に採られる。併せて、保持部材５０を正規姿勢で取り付けることができる。また、弾力性を有するゴム磁石５８を採用したから、例えばガード壁５５の基壁５６に反りや波打ち等があっても、基壁５６に倣って密着しつつ相手のマグネット３５との間で吸着力を発揮させることができる。
【００４４】
保持部材５０におけるガード壁５５の切除された上下の端面には、装着溝７０の形成領域も含めて蓋板１００が被着されるようになっている。この蓋板１００の裏面には挟持片１０３と押さえ片１０４が垂設されていて、リテーナ８０の装着後に蓋板１００を被着すると、リテーナ８０の開口縁側の被挟持部８３と装着溝７０の底壁７４とが重なった形態で、挟持片１０３と押さえ片１０４の一部により挟み付けられ、リテーナ８０が装着溝７０内の定位置に確実に取り付けられる。その結果、リップ部材４０の基端側の挿入部４１を確実に挟むことができて、リップ部材４０を強固に抜け止めして装着することができる。
【００４５】
また本実施形態のように、断熱扉１５の揺動端側の対向側面１５Ａからリップ部材４０を相手側に向けて張り出すように設けたものでは、断熱扉１５を開けてトレイや食器等の容器Ｘを出し入れする際に、同容器Ｘを断熱扉１５の対向側面１５Ａに当てることに起因してリップ部材４０を挟み、損傷を与えることが懸念される。  
それに対して本実施形態では、外気の流出を抑制するべく保持部材５０に設けられたガード壁５５について、図１５に示すように、その屈曲部６１の先端を、保持部材５０の取付板５１の表面に装着したスライド蓋５９の表面よりも相手側に向けて突出させた形態で設けている。その結果、容器Ｘが当てられた場合に、ガード壁５５の屈曲部６１の先端とスライド蓋５９の庫外側の側縁とで受けられることにより、リップ部材４０がスライド蓋５９等との間で直接に挟み付けられることから保護される。
【００４６】
ただし、同図に示すように、リップ部材４０の先端側が庫外側若しくは庫内側に屈曲することは避けられない。このときリップ部材４０は、取付溝９０の庫外側の溝面９１Ａの開口側縁または庫内側の溝面９１Ｂの開口側縁に押し付けられつつ曲げられることになるが、両開口側縁にはそれぞれＲ部９３，９４が形成されているとともに、それらのＲ部９３，９４に押し付けられるのは、リップ部材４０のうち弾性変形が容易なリップ４２の根元側であるから、同リップ４２の根元側がＲ部９３，９４に倣って屈曲するようになり、例えば剛性が高い部分が押し付けられる場合と違って、千切れるような損傷を受けることが確実に避けられる。  
なお、補助リップ８５についても、同図に示すように、庫内側に屈曲する可能性が高いが、その際、根元側が、装着溝７０の庫内側の開口側縁に形成された補助Ｒ部９６に倣って押し付けられつつ屈曲されるから、同様に補助リップ８５が損傷を受けることが回避される。
【００４７】
上記のように、開扉時に断熱扉１５の対向側面１５Ａに容器Ｘが当たった場合には、リップ部材４０が庫外側または庫内側に屈曲する可能性があるが、それ以外にも、片方の断熱扉１５のみを開閉する場合、同断熱扉１５に装着されたリップ部材４０のリップ４２は、相手のリップ４２との重なり合いの向きにより、庫外側または庫内側に屈曲される。その際リップ４２の根元部は取付溝９０の各開口側縁のＲ部９３，９４に倣って湾曲し、各Ｒ部９３，９４の奥側の起点位置９３Ｋ，９４Ｋと対応する位置に最大応力が作用することになる。  
ここで、両側の各Ｒ部９３，９４の奥側の起点位置９３Ｋ，９４Ｋが取付溝９０の深さ方向にずれて設けられているから、リップ４２が庫外側と庫内側に屈曲されたときで、リップ４２の根元部における最大応力が作用する位置が異なる。そのため、屈曲方向によらず同じ位置に最大応力が作用する場合と比べると、リップ４２すなわちリップ部材４０の耐久性を向上させることができる。
【００４８】
保持部材５０が、庫内側に突出した部分（ガード壁５５）を設けた上で、対向面に縦向きの取付溝９０を形成して同取付溝９０の正面からリップ部材４０を装着する形式のものでは、保持部材５０の上下の端部の位置は、貯蔵室１２の前面開口部１３の上下の横縁と干渉しない位置に留める必要があり、その場合、特に両保持部材５０の上下の位置、言い換えると前面開口部１３における上下の横縁の中央部で冷気洩れが生じるおそれがある。
【００４９】
そこでこの実施形態では、保持部材５０の上下の端部が、前面開口部１３の上下の横縁と対向する位置まで延ばされ、ただし同保持部材５０の上下の端部ではガード壁５５が切除されて、リップ部材４０の上下の端部が庫内側に露出され、詳細には、リップ部材４０の露出した上下両端部の挿入部４１がクッション１０５を介して保持部材５０の屈曲部５３に、また挿入部４１の拡幅部４１Ａが、縦向きのパッキン３０Ａの上下の端部におけるマグネット３５が装着された部屋３０Ａの内面に面一となって当てられた状態となる。  
これにより断熱扉１５の閉鎖時において、一部既述したように、前面開口部１３の上下の横縁の中央部では、縦向きの両パッキン３０Ａの上下の端部と、両リップ部材４０の上下の露出した端部とが連続して密着して、隙間無くシールされることになる。
【００５０】
ここで、断熱扉１５を強く閉めたとき等には、リップ部材４０の上下の露出した端部、特に挿入部４１が、装着溝７０の庫外側の溝面７０Ａ（取付溝９０の庫外側の溝面９１Ａ）を構成する取付板５１の屈曲部５３と、前面開口部１３の横縁との間で挟圧されるおそれがあるが、同挿入部４１の裏に敷かれたクッション１０５によって挟圧力が吸収されることにより、リップ部材４０の上下の端部が圧潰されることから防がれる。
【００５１】
また上記のように、リップ部材４０の上下の端部が、露出状態で保持部材５０や縦向きパッキン３０Ａに当てられている場合、そのままでは手前側に垂れるために、その防止策が必要となる。例えば、接着剤で貼り付けることが考えられるが、食材の出し入れ等に伴い容器等が当たった場合に剥がれることが懸念される。  
そこで本実施形態では、リップ部材４０の上下両端部において、挿入部４１の拡幅部４１Ａの上下両端から被固定片４３を突出形成し、被固定片４３を倒して縦向きのパッキン３０Ａの上下の端部の表面に預けた状態において、コーナキャップ１１０を被着して押さえることで、リップ部材４０の露出した上下の端部が捲れることを防止するようになっている。  
コーナキャップ１１０を利用したことで別途押さえ部材を設けることが不要であり、また接着剤で貼り付けた場合と比較して、長期に亘って安定して垂れ防止機能を果たすことができる。接着剤で貼り付けないことにより、逆にリップ部材４０を交換する場合に便利となる。
【００５２】
＜他の実施形態＞
本発明は上記記述及び図面によって説明した実施形態に限定されるものではなく、例えば次のような実施形態も本発明の技術的範囲に含まれる。  
（１）リップ部材の形状として、基端側の挿入部を例えば二股構造とし、同二股部分を保持部材の対向面に形成した幅狭の取付溝内に弾縮させつつ抜き差しすることにより、着脱可能に装着する構造としてもよい。  
（２）リップ部材のリップを、補助リップのようにリテーナに二色成形により一体成形し、装着溝を取付溝としてリテーナを抜き差しすることで着脱可能に装着する構造としてもよい。  
（３）取付溝の両開口側縁に形成したＲ部の奥側の起点位置は必ずしもずれている必要はなく、また取付溝の両開口側縁にＲ部が形成されていない構造であってもよい。  
（４）リテーナに補助リップを設けていないものであってもよい。  
（５）上記実施形態では、断熱扉の裏面における揺動端側の側縁にもマグネットパッキンを配した場合を例示したが、同マグネットパッキンを割愛したものであってもよい。  
（６）保持部材側にマグネット（ゴム磁石）を収容する構造を採ることを割愛してもよい。
【００５３】
（７）上記実施形態では、貯蔵室の前面開口部の口縁のうち上下の横縁の中央部において、両マグネットパッキンの上下の端部と両リップ部材の上下の端部とを連続して密着して配設することで、隙間無くシールする手段を講じたのであるが、同構造部分において、リップ部材の上下の端部の裏面にクッションを介装すること、あるいは、リップ部材の上下の端部からさらに延出形成された被固定片をコーナキャップで押さえて捲れ防止を図る構造については、それぞれ割愛してもよい。  
（８）また、前面開口部の上下の横縁の中央部において、両マグネットパッキンの上下の端部と両リップ部材の上下の端部とを連続して密着して配設する構造自体を割愛してもよく、そのようなものも本発明の技術的範囲に含まれる。  
（９）本発明は、上記実施形態に例示した２ドア式の横型冷蔵庫に限らず、例えば４ドア式の縦型冷蔵庫等のドア数の異なる冷蔵庫や、その他に冷凍庫や冷凍冷蔵庫等、要は、ワイドスルー式の扉装置を備えた冷却貯蔵庫全般に広く適用することができる。
【符号の説明】
【００５４】
１０…冷蔵庫本体（貯蔵庫本体）  １３…前面開口部  １５…断熱扉  １５Ａ…対向側面  ３０…パッキン  ３０Ａ…（断熱扉１５の揺動端側の）縦向きのパッキン（マグネットパッキン）  ４０…リップ部材  ４１…挿入部  ４１Ａ…（挿入部４１の）幅広部（延出部）  ４２…リップ  ４３…被固定片（被固定部）  ５０…保持部材  ５１…取付板  ５３…（取付板５１の）屈曲部（装着溝の庫外側の溝壁）  ５５…ガード壁（突出部、張出部）  ５７…収容空間  ５８…ゴム磁石（マグネット）  ６０…筒状体（覆い部）  ７０…装着溝  ７０Ａ…（庫外側の）溝面  ７０Ｂ…（庫内側の）溝面  ７４…（装着溝７０の）底壁  ８０…リテーナ（溝構成体）  ８３…被挟持部  ８５…補助リップ  ９０…取付溝  ９１Ａ…（庫外側の）溝面  ９１Ｂ…（庫内側の）溝面  ９３…第１Ｒ部  ９３Ｋ…（第１Ｒ部９３の）起点位置  ９４…第２Ｒ部  ９４Ｋ…（第２Ｒ部９４の）起点位置  １００…蓋板  １０３…挟持片（挟持部）  １０５…クッション  １１０…コーナキャップ（キャップ）
【図１】
2014085072.tif 000003
【図２】
2014085072.tif 000004
【図３】
2014085072.tif 000005
【図４】
2014085072.tif 000006
【図５】
2014085072.tif 000007
【図６】
2014085072.tif 000008
【図７】
2014085072.tif 000009
【図８】
2014085072.tif 000010
【図９】
2014085072.tif 000011
【図１０】
2014085072.tif 000012
【図１１】
2014085072.tif 000013
【図１２】
2014085072.tif 000014
【図１３】
2014085072.tif 000015
【図１４】
2014085072.tif 000016
【図１５】
2014085072.tif 000017